(57)【要約】      （修正有）【課題】故人や亡くなったペットを供養する為に必要な仏壇，遺影額，墓のすべての機能を有し、外観、構成ともコンパクトな供養具の提供。【解決手段】蓋付き箱状体１の蓋部４の内面に仏画，神画又は護符を祀り、繋止具により該蓋部４を支持する箱状体本体１の前面額部３に遺影を飾り、箱状体本体内部に故人やペットの遺品や遺骨類を収納する収納部２を持ち、蓋部４を閉じている時は仏具に見えることはないので設置場所に困らない供養箱。【選択図】図１
2007006934.tif 000002
【特許請求の範囲】
【請求項１】
故人又はペットの遺品や遺骨類を収納する収納部を内部に有する箱状体本体と、該箱状体本体の収納部上端に繋止具で連結され内面に仏画，神画，又は護符を祀る蓋部と、故人又はペットの遺影を飾る箱状体前面に設けられた額部とで構成されたことを特徴とする供養箱。
【請求項２】
前記収納部と蓋部との間に、故人又はペットの戒名，名前，愛称，享年又は命日などを記載した内蓋を設けたことを特徴とする請求項１記載の供養箱。
【請求項３】
前記箱状体下部に、足部を設けたことを特徴とする請求項１〜２記載の供養箱。
【請求項４】
前記箱状体上部に、耳部を設けたことを特徴とする請求項１〜３記載の供養箱。
【請求項５】
前記箱状体蓋部に、装飾物を設けたことを特徴とする請求項１〜３記載の供養箱。
【発明の詳細な説明】
【技術分野】
【０００１】
本発明は、故人又はペットの遺品や遺骨類を収納することができ、仏壇，遺影額，墓のすべての機能を有する供養箱に関する。
【背景技術】
【０００２】
従来より、故人や亡くなったペットを供養する為、仏壇，遺影額，墓などが設置されている。
しかし、近年の核家族化傾向と大都市圏への人口集中などに因り十分な広さの住居や墓地の確保が年々困難になっている。その上、大きなスペースをとる仏壇は現代の家庭には合わず、仏壇，墓地，墓石どれをとっても高価で、経済的な理由からも頭を痛めている。
【０００３】
以上のような理由から、供養の気持ちがあっても費用やスペースなど様々な問題があり、思うようにならないのが実情である。
【０００４】
そこで、スペースをあまりとらない小型の簡易供養具が提案されている。例えば、実用新案登録第３０４７１０１号公報では、ミニチュア墓碑と納骨室にカセットレコーダを組み合わせた仏壇、特開２０００―２０１８００号公報では、遺骨，遺品などの収納室を設けた基台と、写真などの遺影板を取り付けた動物位牌が開示されている。
しかし、いずれのものも、仏壇，遺影額，墓のすべての機能を十分満たしているとはいえない。
それに、住居内で他人が見て仏具と分かるよりも、家具やインテリアとして見えた方が好ましいと考える人も多い。
【０００５】
上記の要望を解決するため、実用新案登録第３０８３５５０号公報には、墓部と納骨部を同一平面上に有する箱状本体と、仏壇兼用蓋体をメインとする卓上型供養具が開示されているが、それはその内部構造が複雑で構成物が多く生産や管理に煩雑さがある。
そのため、仏具らしくなく、構成もコンパクトで、仏壇，遺影額，及び墓のすべての機能を有する供養具の開発が望まれているのが現状である。
【特許文献１】実用新案登録第３０４７１０１号
【特許文献２】特開２０００―２０１８００号
【特許文献３】実用新案登録第３０８３５５０号
【発明の開示】
【発明が解決しようとする課題】
【０００６】
本発明は前記要望に応えること、即ち、仏具に見えず、しかし供養に必要な機能を備え、外観、構成ともコンパクトに一体化され、インテリア性に富んだ供養具を開発するのが課題である。
そこで、蓋付き箱状体内外に、仏画，神画又は護符と、遺影と、故人又はペットの遺品や遺骨類入れ、という３要素を必須構成要件とする構成物を配置することによって、上記の問題点を解決した供養箱を提供することを目的とする。
【課題を解決するための手段】
【０００７】
本発明は、蓋部の内面に仏画，神画又は護符を祀り、該蓋部を支持する箱状体の前面に設けた額部に故人やペットの遺影を飾ることができ、その箱状体の内部に故人の遺品や遺骨類、又はペットの遺品や遺骨類を収納する収納部を設けた蓋付き箱状体である。その上、蓋部を閉じている時は仏具に見えることはなく、箱状体の前面に額部を備えているので写真立てとしての機能も有している。
【０００８】
請求項１は、蓋付き箱状体において蓋の後部と本体後部上端とに、たとえば閉じているときから開き角度が９０度以上１２０度以下になるように繋止具を設けており、その蓋部の内面に仏画，神画又は護符を祀り、それを支持する箱状体の前面に遺影を保持する額部を備え、その箱状体の内部に、故人又はペットの遺品や遺骨類を収納できる収納部を設けたもので、蓋を開けると、本尊，遺影，遺骨類又は遺品の３点が同時に見えるようになり、本尊と、故人又は亡くなったペットと、拝礼者の３者に一体感がかもし出され、厳粛さのなかにも身近さが感じられるようになる。
【０００９】
請求項２は、請求項１の箱状体収納部の内側上部に桟を設け、そこに位牌となる内蓋を載せたものである。
その内蓋の表面に戒名，名前，愛称，享年又は命日などを記載したことにより位牌としての機能が生まれ、本尊，遺影，位牌の３点を同時に見ながら詣ることができる。
また、内蓋には自立できるよう裏面の数箇所に、収納物の邪魔にならないような支え部を設けてあるので、取り外して箱状体の横などに自立させて置けば、本尊，遺影，位牌の３点はもちろん収納物まで同時に見ることができ、一層心のこもった供養をすることができるようになる。
【００１０】
請求項３は、箱状体下部の両側面や前後に、足部を設けたものである。
これにより、見栄えを良くすると共に空気の流通も良くなり、収納物の保存状態が良くなる。
【００１１】
請求項４は、箱状体の両側面上部に、耳部を設けたものである。
これにより、見栄えを良くすると共にインテリアとしても利用し易くなる。
【００１２】
請求項５は、箱状体の蓋部外側に、様々な装飾物を設けたものである。
これにより、上記と同様にインテリアとして利用し易くなる。
【発明の効果】
【００１３】
遺品や遺骨類が収納でき、広いスペースをとらず、高額な費用をかけることなく、本尊と遺影と収納物や位牌を同時に見ながら拝むことができ、蓋部内面の本尊は取替えが出来るため、宗派を問わず誰でもが手軽に故人や亡きペットの供養ができる。
【００１４】
その上、他人が見ても仏具に見えず、蓋を閉じた状態では写真立てとしての機能を有し、蓋部を開ければ瞬時に供養具にすることができる為、前記の供養箱を身近に置くことにより仏壇や墓が無くても故人又はペットを日常的に供養することができ、常に一緒にいられるという安心感、そして一層の安らぎ感を持つことができる。
【００１５】
そして、蓋部に仏画，神画又は護符を、額部に遺影を、収納部と蓋部の間に戒名，名前，愛称，享年又は命日などを記載した内蓋を設けることにより、仏壇，遺影額，墓，位牌のすべての機能を集約して一体化することができた。
【００１６】
また、足部や耳部、あるいは蓋部に装飾物を設けることにより全体的な見栄えも更に良くなり、室内のインテリアとしてもマッチし易くなった。その上収納物の保存状態まで良くなるという効果がある。
【発明を実施するための最良の形態】
【００１７】
次に本発明による供養箱について、図面に基づき詳細に説明する。
図１は、本発明による供養箱を示す斜視図、図２は内蓋を取り付けた状態の図１の平面図、図３は図１の一部断面側面図である。
図１において、１は箱状体本体で、該箱状体本体１は遺骨類や遺品などを納める収納部２と、遺影などを保持する額部３と、仏画，神画，護符などを祀る蓋部４とから成っている。
【００１８】
上記額部３は、図２に示すように箱状体本体１の前面に形成され、空隙Sを設け、該空隙S内に遺影などを挿入し、保護板５の内側に飾るようにしたものである。
【００１９】
上記蓋部４は、凹部７を形成しており、該凹部７に仏画，神画，護符などを固着することができるようにしたものである。
そして、該蓋部４は図３に示すように蝶番などの繋止具９により収納部２上端に開閉自在になるよう固定されている。
このような繋止具９として他にも金属製，プラスチック製のアームなどが使用でき、取り付け位置も蓋部４が適当な角度に保持されるよう任意に選ぶことができる。また、金属，プラスチック，紙，布などでできた鎖や紐を、開き止めとして利用しても良く、前記繋止具９の代わりに側面上部や耳部１５に穴を設け支持ピンなどで軸支しても良い。
【００２０】
仏画，神画又は護符として故人の場合には、故人の宗派の本尊の姿や経文，文字などがあげられる。しかし、故人が大人の場合はそれでよいが、故人が子供で幼児のうちに亡くなった場合や、生まれずに死亡した場合には、特に水子地蔵、地方により賽の河原地蔵や化粧地蔵などの地蔵菩薩が祀られる。
【００２１】
また、ペットの場合一般的には馬頭観音菩薩，蒼前神や駒形神などがあげられるが、これらは名前からも分かるように、馬や家畜の供養、無病息災を願うという傾向が強く、愛玩動物のペットでは、仏教でいう六道を守る地蔵菩薩、そのうちでも畜生道を守護する大光明地蔵菩薩（宝処菩薩）がもっとも相応しい。しかし飼い主の宗派や考え、土地の習慣などに因って選んでももちろん良い。
【００２２】
それらは、写真や複製を貼っても、直接描いても、エッチングなどを取り付けても良く、蓋部の内面に直接彫刻しても良い。
【００２３】
上記構成により、普段蓋部を閉じているときでも遺品や遺骨類を守護仏や守護神又は護符が、いつも見守ってくれているという安心感が生まれてくる。
【００２４】
１４は足部で、収納部２の下方を密閉しないように様々な足部を設けることができる。
箱状体本体１の両側面部や前後部を下方にそれぞれ全面延長しても、一部を延長して形成しても良く、足部１４として別に取り付けても良い。
このように、箱状体本体１に足部１４を設けることにより見栄えが良くなる他、箱状体本体１の下方に空気が流通するので収納物の保存状態が良くなるという利点がある。ここで足部１４の長さは箱状体本体１とのバランスを考慮しながら、見栄え及び空気の流通が悪くならないよう任意に選べば良い。
【００２５】
１５は耳部で、該耳部１５は収納部２の側面部を延ばしたものである。
上記のように両側面部をそのまま上方に延長させても、一部を延長させても、あるいは蓋部４の外側の任意な個所に装飾物1６（図４参照）を取り付けても良く、またこれらを組み合わせて形成しても良い。
【００２６】
そして箱状体前面の額部３は、ガラスやプラスチックなどでできた透明な保護板５を備え、収納部２との間に空隙Ｓを設けて上方より差し替え可能とするが、箱状体前面部に直接貼ってもよいし取り付けても良い。
【００２７】
遺影としては、写真，描画，エッチングやレリーフなどがあげられる。
【００２８】
遺骨類には、遺髪・毛，歯，爪なども含み、更に遺品としては、生前の愛用品や愛用具などがあげられる。
【００２９】
そして、普段遺影を配置している箱状体前面の額部３に、仏画，神画又は護符を祀り、蓋の内面凹部７に遺影を飾ることも自由である。
【００３０】
図２および図３において、８は内蓋で、該内蓋８は収納部２上端と蓋部４との間に設けられ、取り外し可能になっており、該内蓋８上面に故人やペットに関する文字や数字を記載したものである。その文字には戒名，名前，愛称や梵字などがあり、数字としては命日，享年などがある。その表示方法は、直接記載しても、記載したものを貼っても、取り付けても良い。また、何も記載せずに使用するのも自由である。なお、上記内蓋８は取り外し可能としたが、蝶番や、アームなどで開閉可能にしても良いことは言うまでもない。
１０は上記内蓋８を載置するため、収納部２の前後部内側の上部に設けた桟である。
１１は上記内蓋８を開ける際に引き上げやすいように形成した切り欠き部で、該切り欠き部１１に指を引っ掛けて開閉することができるようにしたものであり、この切り欠き部１１の替わりに指先の入る穴や摘まめるように突起などを設けても良い。
【００３１】
次に、図３は図１の一部断面側面図であり、同図に示すように収納部２内は間仕切り板１２により二段に仕切られている。間仕切り板１２は収納部２内に取り付けた桟１３に載置することにより、収納部２内を上下に仕切るようにしたものであり、この間仕切り板１２には内蓋８と同じように切り欠き部１１が設けられている。こうすることにより、例えば下段に遺骨を納め上段に遺品を入れるとか、下段にオルゴールを備えるなど、収納部２の使い分けができ便利さも増すことになる。そして、上下左右２つ以上に仕切ることももちろん自由である。なお、桟１０や桟１３は、収納部２の内面に貼着しても釘やビスなどで取り付けても良いし、桟１０，１３の代わりに収納部２の内面に溝を設けて嵌め込んでも良い。
【実施例１】
【００３２】
図４は本発明による箱状体本体１の他の実施例を示す斜視図である。同図において、図１〜３と同じ符号のものは同一のものを示し、詳細な説明を省略する。
本実施例では、耳部１５と、蓋部４外側に形成した装飾物１６を同じ山形にし、美しく仕上げたものであり、また足部１４を収納部２下面の４隅に形成したもので、本実施例によれば、より空気の流通が良くなるとともに、インテリアとしての価値を高めることができる。
【実施例２】
【００３３】
図５は本発明による箱状体本体１の他の実施例を示す正面図である。同図において、図１〜３と同じ符号のものは同一のものを示し、詳細な説明を省略する。
本実施例では、蓋部４の凹部７を左右２つに分割し、仏画，神画又は護符と、遺影を並べて掲げるようにしたものである。このようにしたことにより、本尊などが身近な存在として感じられ、より一層の安らぎ感を持つことができる。そして額部３には家族や仲間と一緒の写真などを飾れば親近感も一段と湧いてくるようになる。
【００３４】
図６は、内蓋８を位牌として自立させた状態を示す背面斜視図である。
同図示のとおり、内蓋８の背面には支え部１７が固着されており、該内蓋８を収納部２上面より取り外し、箱状体本体１の横に立設できるようにしたものである。このようにすることにより厳かさも増し、故人又は亡くなったペットの在りし日の姿を偲びながら供養することができる。なお、上記内蓋８の支え部１７は固着したものを示したが、折畳み式にしても良いことは言うまでもない。
【００３５】
なお、以上を通じて箱状体本体１の大きさは、骨壷や遺品などの大きさ及び設置場所のスペースにより自由に選べるのはもちろん、その形状も立方体状や直方体状などに限定されるものではなく、本発明と同じ思想を有するものであれば、多角柱，円柱，ピラミッド型，三角錐，多面体など、収納部が確保でき遺影や仏画などが飾れるものならどの様な形態であっても良い。
そして材質も、木材，竹，籐，プラスチック，複合樹脂，金属，石，紙など自由に選択ができる。
また、遺品や遺骨などを納めず、前面額部や蓋内面部にも自分やペットの写真、また風景写真など好みのものを飾り、部屋になじみやすい明るい色で装飾を施せば小物入れなどにも利用することができる。
【図面の簡単な説明】
【００３６】
【図１】本発明による箱状体本体の最良の形態を示す斜視図である。
【図２】内蓋を取り付けた状態を示す図１の平面図である。
【図３】図１の一部断面側面図である。
【図４】本発明による箱状体本体の他の実施例を示す斜視図である。
【図５】本発明による箱状体本体の他の実施例を示す正面図である。
【図６】内蓋を自立させた状態を示す背面斜視図である。
【符号の説明】
【００３７】
１  箱状体本体
２  収納部
３  額部
４  蓋部
８  内蓋
９  繋止具
１４  足部
１５  耳部
１６  装飾物
S  空隙
【図１】
2007006934.tif 000003
【図２】
2007006934.tif 000004
【図３】
2007006934.tif 000005
【図４】
2007006934.tif 000006
【図５】
2007006934.tif 000007
【図６】
2007006934.tif 000008
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
故人又はペットの遺品や遺骨類を収納する収納部を内部に有する箱状体本体と、該箱状体本体の収納部上端に繋止具で連結され内面に仏画，神画，又は護符を祀る蓋部と、故人又はペットの遺影を飾る箱状体前面に設けられた額部とで構成され、上記収納部と蓋部との間に、故人又はペットの戒名，名前，愛称のいずれかを記載した内蓋を設けたことを特徴とする供養箱。
【請求項２】
前記内蓋の背面に支え部を固着したことを特徴とする請求項１記載の供養箱。
【手続補正２】
【補正対象書類名】明細書
【補正対象項目名】全文
【補正方法】変更
【補正の内容】
【発明の詳細な説明】
【技術分野】
【０００１】
本発明は、故人又はペットの遺品や遺骨類を収納することができ、仏壇，遺影額，墓のすべての機能を有する供養箱に関する。
【背景技術】
【０００２】
従来より、故人や亡くなったペットを供養する為、仏壇，遺影額，墓などが設置されている。
しかし、近年の核家族化傾向と大都市圏への人口集中などに因り十分な広さの住居や墓地の確保が年々困難になっている。その上、大きなスペースをとる仏壇は現代の家庭には合わず、仏壇，墓地，墓石どれをとっても高価で、経済的な理由からも頭を痛めている。
【０００３】
以上のような理由から、供養の気持ちがあっても費用やスペースなど様々な問題があり、思うようにならないのが実情である。
【０００４】
そこで、スペースをあまりとらない小型の簡易供養具が提案されている。例えば、実用新案登録第３０４７１０１号公報では、ミニチュア墓碑と納骨室にカセットレコーダを組み合わせた仏壇、特開２０００―２０１８００号公報では、遺骨，遺品などの収納室を設けた基台と、写真などの遺影板を取り付けた動物位牌が開示されている。
しかし、いずれのものも、仏壇，遺影額，墓のすべての機能を十分満たしているとはいえない。
それに、住居内で他人が見て仏具と分かるよりも、家具やインテリアとして見えた方が好ましいと考える人も多い。
【０００５】
上記の要望を解決するため、実用新案登録第３０８３５５０号公報には、墓部と納骨部を同一平面上に有する箱状本体と、仏壇兼用蓋体をメインとする卓上型供養具が開示されているが、それはその内部構造が複雑で構成物が多く生産や管理に煩雑さがある。
そのため、仏具らしくなく、構成もコンパクトで、仏壇，遺影額，及び墓のすべての機能を有する供養具の開発が望まれているのが現状である。
【特許文献１】実用新案登録第３０４７１０１号
【特許文献２】特開２０００―２０１８００号
【特許文献３】実用新案登録第３０８３５５０号
【発明の開示】
【発明が解決しようとする課題】
【０００６】
本発明は前記要望に応えること、即ち、仏具に見えず、しかし供養に必要な機能を備え、外観、構成ともコンパクトに一体化され、インテリア性に富んだ供養具を開発するのが課題である。
そこで、蓋付き箱状体内外に、仏画，神画又は護符と、遺影と、故人又はペットの遺品や遺骨類入れと、表面に故人又はペットの戒名，名前，愛称のいずれかを記載した位牌となる内蓋を設け、供養時に必要な要素を必須構成要件とする構成物を配置することによって、上記の問題点を解決した供養箱を提供することを目的とする。
【課題を解決するための手段】
【０００７】
本発明は、蓋部の内面に仏画，神画又は護符を祀り、該蓋部を支持する箱状体の前面に設けた額部に故人やペットの遺影を飾ることができ、その箱状体の内部に故人の遺品や遺骨類、又はペットの遺品や遺骨類を収納する収納部を設け、その収納部と蓋部との間に、表面に故人又はペットの戒名，名前，愛称のいずれかを記載した位牌となる内蓋を設けた蓋付き箱状体である。その上、蓋部を閉じている時は仏具に見えることはなく、箱状体の前面に額部を備えているので写真立てとしての機能も有している。
【０００８】
請求項１は、蓋付き箱状体において蓋の後部と本体後部上端とに、たとえば閉じているときから開き角度が９０度以上１２０度以下になるように繋止具を設けており、その蓋部の内面に仏画，神画又は護符を祀り、それを支持する箱状体の前面に遺影を保持する額部を備え、その箱状体の内部に、故人又はペットの遺品や遺骨類を収納できる収納部を設けるとともに、上記箱状体収納部の内側上部に桟を設け、そこに位牌となる内蓋を載せたものである。その内蓋の表面に故人又はペットの戒名，名前，愛称のいずれかを記載したことにより位牌としての機能が生まれ、蓋を開けるだけで本尊，遺影，位牌の３点を同時に見ながら詣ることができる。そして、本尊，遺影，位牌，遺品又は遺骨類の全てが揃うことにより、本尊と、故人又は亡くなったペットと、拝礼者の３者に一体感がかもし出され、厳粛さのなかにも身近さが感じられるようになる。
【０００９】
請求項２は、前記内蓋の背面数箇所に、収納物の邪魔にならないようなに支え部を固着したものである。
これにより、内蓋を取り外し、箱状体の横などに自立させて置けば、本尊，遺影，位牌の３点はもちろん収納物まで同時に見ることができ、一層心のこもった供養をすることができるようになる。
【発明の効果】
【００１０】
遺品や遺骨類が収納でき、広いスペースをとらず、高額な費用をかけることなく、本尊と遺影と位牌や収納物まで同時に見ながら拝むことができ、蓋部内面の本尊は取替えが出来るため、宗派を問わず誰でもが手軽に故人や亡きペットの供養ができる。
【００１１】
その上、他人が見ても仏具に見えず、蓋を閉じた状態では写真立てとしての機能を有し、蓋を開ければ瞬時に供養具にすることができる為、前記の供養箱を身近に置くことにより仏壇や墓が無くても故人又はペットを日常的に供養することができ、常に一緒にいられるという安心感、そして一層の安らぎ感を持つことができる。
【００１２】
そして、蓋部に仏画，神画又は護符を、額部に遺影を、収納部と蓋部の間に故人又はペットの戒名，名前，愛称のいずれかを記載した内蓋を設けることにより、仏壇，遺影額，墓，位牌のすべての機能を集約して一体化することができた。
【００１３】
また、内蓋の背面には支え部が固着されており、該内蓋を収納部上面より取り外し、箱状体本体の横に立設することにより厳かさも増し、故人又は亡くなったペットの在りし日の姿を偲びながら供養することができる。
【発明を実施するための最良の形態】
【００１４】
次に本発明による供養箱について、図面に基づき詳細に説明する。
図１は、本発明による供養箱を示す斜視図、図２は内蓋を取り付けた状態の図１の平面図、図３は図１の一部断面側面図である。
図１において、１は箱状体本体で、該箱状体本体１は遺品や遺骨類などを納める収納部２と、遺影などを保持する額部３と、仏画，神画，護符などを祀る蓋部４とから成っている。
【００１５】
上記額部３は、図２に示すように箱状体本体１の前面に形成され、空隙Sを設け、該空隙S内に遺影などを挿入し、保護板５の内側に飾るようにしたものである。
【００１６】
上記蓋部４は、凹部７を形成しており、該凹部７に仏画，神画，護符などを固着することができるようにしたものである。
そして、該蓋部４は図３に示すように蝶番などの繋止具９により収納部２上端に開閉自在になるよう固定されている。
このような繋止具９として他にも金属製，プラスチック製のアームなどが使用でき、取り付け位置も蓋部４が適当な角度に保持されるよう任意に選ぶことができる。また、金属，プラスチック，紙，布などでできた鎖や紐を、開き止めとして利用しても良く、前記繋止具９の代わりに側面上部や耳部１５に穴を設け支持ピンなどで軸支しても良い。
【００１７】
仏画，神画又は護符として故人の場合には、故人の宗派の本尊の姿や経文，文字などがあげられる。しかし、故人が大人の場合はそれでよいが、故人が子供で幼児のうちに亡くなった場合や、生まれずに死亡した場合には、特に水子地蔵、地方により賽の河原地蔵や化粧地蔵などの地蔵菩薩が祀られる。
【００１８】
また、ペットの場合一般的には馬頭観音菩薩，蒼前神や駒形神などがあげられるが、これらは名前からも分かるように、馬や家畜の供養、無病息災を願うという傾向が強く、愛玩動物のペットでは、仏教でいう六道を守る地蔵菩薩、そのうちでも畜生道を守護する大光明地蔵菩薩（宝処菩薩）がもっとも相応しい。しかし飼い主の宗派や考え、土地の習慣などに因って選んでももちろん良い。
【００１９】
それらは、写真や複製を貼っても、直接描いても、エッチングなどを取り付けても良く、蓋部の内面に直接彫刻しても良い。
【００２０】
上記構成により、普段蓋部を閉じているときでも遺品や遺骨類を守護仏や守護神又は護符が、いつも見守ってくれているという安心感が生まれてくる。
【００２１】
１４は足部で、収納部２の下方を密閉しないように様々な足部を設けることができる。
箱状体本体１の両側面部や前後部を下方にそれぞれ全面延長しても、一部を延長して形成しても良く、足部１４として別に取り付けても良い。
このように、箱状体本体１に足部１４を設けることにより見栄えが良くなる他、箱状体本体１の下方に空気が流通するので収納物の保存状態が良くなるという利点がある。ここで足部１４の長さは箱状体本体１とのバランスを考慮しながら、見栄え及び空気の流通が悪くならないよう任意に選べば良い。
【００２２】
１５は耳部で、該耳部１５は収納部２の側面部を延ばしたものである。
上記のように両側面部をそのまま上方に延長させても、一部を延長させても、あるいは蓋部４の外側の任意な個所に装飾物1６（図４参照）を取り付けても良く、またこれらを組み合わせて形成しても良い。
【００２３】
そして箱状体前面の額部３は、ガラスやプラスチックなどでできた透明な保護板５を備え、収納部２との間に空隙Ｓを設けて上方より差し替え可能とするが、箱状体前面部に直接貼ってもよいし取り付けても良い。
【００２４】
遺影としては、写真，描画，エッチングやレリーフなどがあげられる。
【００２５】
遺骨類には、遺髪・毛，歯，爪なども含み、更に遺品としては、生前の愛用品や愛用具などがあげられる。
【００２６】
そして、普段遺影を配置している箱状体前面の額部３に、仏画，神画又は護符を祀り、蓋部の内面凹部７に遺影を飾ることも自由である。
【００２７】
図２および図３において、８は内蓋で、該内蓋８は収納部２上端と蓋部４との間に設けられ、取り外し可能になっており、該内蓋８上面に故人やペットに関する文字を記載したものである。その文字には戒名，名前，愛称などがある。その表示方法は、直接記載しても、記載したものを貼っても、取り付けても良い。また、何も記載せずに使用するのも自由である。なお、上記内蓋８は取り外し可能としたが、蝶番や、アームなどで開閉可能にしても良いことは言うまでもない。
１０は上記内蓋８を載置するため、収納部２の前後部内側の上部に設けた桟である。
１１は上記内蓋８を開ける際に引き上げやすいように形成した切り欠き部で、該切り欠き部１１に指を引っ掛けて開閉することができるようにしたものであり、この切り欠き部１１の替わりに指先の入る穴や摘まめるように突起などを設けても良い。
【００２８】
次に、図３は図１の一部断面側面図であり、同図に示すように収納部２内は間仕切り板１２により二段に仕切られている。間仕切り板１２は収納部２内に取り付けた桟１３に載置することにより、収納部２内を上下に仕切るようにしたものであり、この間仕切り板１２には内蓋８と同じように切り欠き部１１が設けられている。こうすることにより、例えば下段に遺骨を納め上段に遺品を入れるとか、下段にオルゴールを備えるなど、収納部２の使い分けができ便利さも増すことになる。そして、上下左右２つ以上に仕切ることももちろん自由である。なお、桟１０や桟１３は、収納部２の内面に貼着しても釘やビスなどで取り付けても良いし、桟１０，１３の代わりに収納部２の内面に溝を設けて嵌め込んでも良い。
【実施例１】
【００２９】
図４は本発明による箱状体本体１の他の実施例を示す斜視図である。同図において、図１〜３と同じ符号のものは同一のものを示し、詳細な説明を省略する。
本実施例では、耳部１５と、蓋部４外側に形成した装飾物１６を同じ山形にし、美しく仕上げたものであり、また足部１４を収納部２下面の４隅に形成したもので、本実施例によれば、より空気の流通が良くなるとともに、インテリアとしての価値を高めることができる。
【実施例２】
【００３０】
図５は本発明による箱状体本体１の他の実施例を示す正面図である。同図において、図１〜３と同じ符号のものは同一のものを示し、詳細な説明を省略する。
本実施例では、蓋部４の凹部７を左右２つに分割し、仏画，神画又は護符と、遺影を並べて掲げるようにしたものである。このようにしたことにより、本尊などが身近な存在として感じられ、より一層の安らぎ感を持つことができる。そして額部３には家族や仲間と一緒の写真などを飾れば親近感も一段と湧いてくるようになる。
【００３１】
図６は、内蓋８を位牌として自立させた状態を示す背面斜視図である。
同図示のとおり、内蓋８の背面には支え部１７が固着されており、該内蓋８を収納部２上面より取り外し、箱状体本体１の横に立設できるようにしたものである。このようにすることにより厳かさも増し、故人又は亡くなったペットの在りし日の姿を偲びながら供養することができる。なお、上記内蓋８の支え部１７は固着したものを示したが、折畳み式にしても良いことは言うまでもない。
【００３２】
なお、以上を通じて箱状体本体１の大きさは、骨壷や遺品などの大きさ及び設置場所のスペースにより自由に選べるのはもちろん、その形状も立方体状や直方体状などに限定されるものではなく、本発明と同じ思想を有するものであれば、多角柱，円柱，ピラミッド型，三角錐，多面体など、収納部が確保でき遺影や仏画などが飾れるものならどの様な形態であっても良い。
そして材質も、木材，竹，籐，プラスチック，複合樹脂，金属，石，紙など自由に選択ができる。
また、遺品や遺骨類などを納めず、前面額部や蓋内面部にも自分やペットの写真、また風景写真など好みのものを飾り、部屋になじみやすい明るい色で装飾を施せば小物入れなどにも利用することができる。
【図面の簡単な説明】
【００３３】
【図１】本発明による箱状体本体の最良の形態を示す斜視図である。
【図２】内蓋を取り付けた状態を示す図１の平面図である。
【図３】図１の一部断面側面図である。
【図４】本発明による箱状体本体の他の実施例を示す斜視図である。
【図５】本発明による箱状体本体の他の実施例を示す正面図である。
【図６】内蓋を自立させた状態を示す背面斜視図である。
【符号の説明】
【００３４】
１  箱状体本体
２  収納部
３  額部
４  蓋部
８  内蓋
９  繋止具
１４  足部
１５  耳部
１６  装飾物
S  空隙